(57)【要約】【課題】裏面印刷の制約を少なくするとともに、ＯＣＲ読取り時や重送チェック時のトラブルを防止する。【解決手段】用紙１の表面側に光学読取り部４を設け、用紙１の表面側から裏面側にかけて空白領域としたセンサ走査部５を設けるとともに、用紙１の裏面側に施す裏面印刷部６に、有機系顔料のイエロー（黄色），マゼンタ（紅色），および色材に鮮青のファナール系染料を使用したシアン（藍色）の３色を混合した混合黒色インキを用いて印刷することで、光学読取り部４やセンサ走査部５における光透過率の低下を防ぐものとする。【選択図】  図１
2004322331.tif 000002
【特許請求の範囲】
【請求項１】
近赤外線領域の照射光による重送チェックセンサを内蔵したＯＣＲに使用される帳票であって、
用紙の表面側に設けられ、上記ＯＣＲで光学読取りされる光学読取り部と、
上記用紙の表面側から裏面側にかけて上記重送チェックセンサの照射光が走査する位置を空白領域としたセンサ走査部と、
上記用紙の裏面側に設けられ、色材として染料を使用したインキを用いて印刷された裏面印刷部と、
を備えたことを特徴とする光学読取り用帳票。
【請求項２】
近赤外線領域の照射光による重送チェックセンサを内蔵したＯＣＲに使用される帳票であって、
用紙の表面側に設けられ、上記ＯＣＲで光学読取りされる光学読取り部と、
上記用紙の表面側から裏面側にかけて上記重送チェックセンサの照射光が走査する位置を空白領域としたセンサ走査部と、
上記用紙の裏面側に設けられ、有機系顔料を使用したイエロー（黄色），マゼンタ（紅色），およびシアン（藍色）の３色を混合した混合黒色インキを用いて印刷された裏面印刷部と、
を備えたことを特徴とする光学読取り用帳票。
【請求項３】
近赤外線領域の照射光による重送チェックセンサを内蔵したＯＣＲに使用される帳票であって、
用紙の表面側に設けられ、上記ＯＣＲで光学読取りされる光学読取り部と、
上記用紙の表面側から裏面側にかけて上記重送チェックセンサの照射光が走査する位置を空白領域としたセンサ走査部と、
上記用紙の裏面側に設けられ、有機系顔料を使用したイエロー（黄色），マゼンタ（紅色），および色材として染料を使用したシアン（藍色）の３色を混合した混合黒色インキを用いて印刷された裏面印刷部と、
を備えたことを特徴とする光学読取り用帳票。
【請求項４】
上記染料が鮮青のファナール系であることを特徴とする請求項１または請求項３に記載の光学読取り用帳票。
【発明の詳細な説明】
【０００１】
【発明の属する技術分野】
本発明は、光学的文字読取り装置（以下、「ＯＣＲ」という）で自動読取りされる光学読取り用帳票に関する。
【０００２】
【従来の技術】
従来、光学読取り用帳票は、事務処理の迅速化を図るための帳票として利用されており、例えば特許文献１に開示されているような郵便局に常備される振込用紙が周知である。
【０００３】
【特許文献１】
特開２００２−１４４７３３号公報
【０００４】
この振込用紙は、用紙の表面にサーマル層が塗工されたサーマル用紙を用いて作製される。そして、サーマル層を加熱発色させることで所定の記入枠内にＯＣＲ文字等の光学式読取りコードを印字して、その読取りコードをＯＣＲで自動読取りしている。
【０００５】
ところで、振込用紙の裏面には、その空きスペースを利用してユーザから要求されたコマーシャル印刷を施す場合がある。この場合、裏面に印刷されたインキの印刷濃度が高いと裏面のインキが用紙を透過して表面のＯＣＲ文字に重なってしまうため、ＯＣＲ文字の読取りエラーが発生する。そこで、このような読取りエラーを防ぐために裏面印刷に使用するインキは用紙の表面に透過しないようにその印刷濃度が低く管理される。
【０００６】
すなわち、光学読取り用帳票を用いた振込用紙において、用紙の裏面に施すコマーシャル印刷は、光透過率が低いインキ、換言すると黒色や紺色等の印刷濃度が高いインキの使用は避けなければならず、そのデザインや刷色等の制約を受けていた。
【０００７】
一方、ＯＣＲでは、振込用紙が重なって搬送された場合にも、下側の振込用紙に印字されたＯＣＲ文字が、上側の振込用紙のＯＣＲ文字に重なって読取りエラーが発生する。そこで、ＯＣＲのハードには、用紙が重なって搬送されないように重送を検出する重送チェックセンサを備えたものが多い。この重送チェックセンサは、近赤外線領域の光源を利用したもので、用紙の空白領域に近赤外線を照射してその光透過率を測定することで、用紙の重なりの有無をチェックするものである。
【０００８】
ところが、従来の振込用紙の裏面に施されるコマーシャル印刷は、この重送センサによるチェックを考慮せずに印刷されているのが実情である。このため、裏面のコマーシャル印刷が用紙の空白領域の光透過率を低下させる要因となっており、重送チェック時に用紙が正しく１枚ずつ搬送されているにも関わらず、重送チェックセンサには用紙が複数枚重なった光透過率であると誤って感知されてしまうという不具合があった。
【０００９】
【発明が解決しようとする課題】
本発明は、上記のような問題点に鑑みてなされたものであり、その目的とするところは、ユーザの要求通りのデザインや刷色で裏面印刷を施すことができ、かつＯＣＲでの読取りエラーや重送チェックセンサでの感知ミス等のトラブルを起こすことのない光学読取り用帳票を提供することにある。
【００１０】
【課題を解決するための手段】
上記目的を達成するために、請求項１に係る発明は、近赤外線領域の照射光による重送チェックセンサを内蔵したＯＣＲに使用される帳票であって、用紙の表面側に設けられ、ＯＣＲで光学読取りされる光学読取り部と、用紙の表面側から裏面側にかけて重送チェックセンサの照射光が走査する位置を空白領域としたセンサ走査部と、用紙の裏面側に設けられ、色材として染料を使用したインキを用いて印刷された裏面印刷部と、を備えたことを特徴とする光学読取り用帳票である。
【００１１】
また、請求項２に係る発明は、近赤外線領域の照射光による重送チェックセンサを内蔵したＯＣＲに使用される帳票であって、用紙の表面側に設けられ、ＯＣＲで光学読取りされる光学読取り部と、用紙の表面側から裏面側にかけて重送チェックセンサの照射光が走査する位置を空白領域としたセンサ走査部と、用紙の裏面側に設けられ、有機系顔料を使用したイエロー（黄色），マゼンタ（紅色），およびシアン（藍色）の３色を混合した混合黒色インキを用いて印刷された裏面印刷部と、を備えたことを特徴とする光学読取り用帳票である。
【００１２】
更に、請求項３に係る発明は、近赤外線領域の照射光による重送チェックセンサを内蔵したＯＣＲに使用される帳票であって、用紙の表面側に設けられ、ＯＣＲで光学読取りされる光学読取り部と、用紙の表面側から裏面側にかけて重送チェックセンサの照射光が走査する位置を空白領域としたセンサ走査部と、用紙の裏面側に設けられ、有機系顔料を使用したイエロー（黄色），マゼンタ（紅色），および色材として染料を使用したシアン（藍色）の３色を混合した混合黒色インキを用いて印刷された裏面印刷部と、を備えたことを特徴とする光学読取り用帳票である。
【００１３】
更にまた、請求項４に係る発明は、請求項１または請求項３の発明において、染料が鮮青のファナール系であることを特徴とする光学読取り用帳票である。
【００１４】
上記のような裏面印刷部の印刷に使用した各種インキは、顔料にカーボンブラック（墨色）を使用した通常の黒色プロセスインキと比べると、特に近赤外線領域における光透過特性が良好であることが本発明者等によって確認された。よって、これらのインキを使用して用紙の裏面印刷を施すことで、光学読取り部やセンサ走査部の光透過率が低下することを防ぎ、ＯＣＲの読取りエラーや重送チェックセンサの感知ミス等のトラブルを解消することが可能となる。
【００１５】
【発明の実施の形態】
以下、本発明の実施の形態について、添付した図面を参照しながら詳細に説明する。
【００１６】
本実施形態の光学読取り用帳票Ｐは、光源として近赤外線領域の照射光による重送チェックセンサを内蔵したＯＣＲに使用される帳票であり、例えば郵便局や銀行等の窓口に常備する振込用紙として好適である。
【００１７】
図１（ａ）に示すように、所定形状に成形された用紙１の表面側には、各種の記入枠２，２，…が、ＯＣＲで光学読取りされないように青色，橙色，あるいは赤色等から選ばれるドロップアウトカラーインキで予め印刷される。
【００１８】
本実施形態では、図２に示すように、複数の記入枠２，２，…の内側は全てサーマル層３で構成されている。サーマル層３は、電子供与体と電子受容体の両成分を固体微粒子として樹脂バインダ中に分散して塗工したもので、常温では固体であるが加熱溶融させると両成分が互いに反応して発色する。
【００１９】
そして、かかる記入枠２，２，…の内側に記入する所定事項は、事務処理の迅速化を図る観点からＯＣＲで自動読取りされる光学読取り部４となっている。すなわち、光学読取り部４には、図示略のサーマルヘッド等でサーマル層３を加熱発色させることで所定事項が光学読取りコードで印字される。本実施形態では、光学読取りコードの例として、上段の記入枠２−１内にＯＣＲ文字４−１が印字され、下段の記入枠２−２内にはバーコード４−２が印字されている。
【００２０】
また、光学読取り部４の印字方法としては、上記のようなサーマル層３の加熱発色による方法の他にインキを印刷する方法を採用しても良い。そのインキとしては例えばＯＣＲインキや、顔料にカーボンブラック（墨色）を使用した通常の黒色プロセスインキ等が使用できる。
【００２１】
更に、この光学読取り用帳票Ｐには、ＯＣＲに備わる重送チェックセンサの照射光が走査する位置に帯状のセンサ走査部５が形成されている。センサ走査部５は、用紙１の表面側から裏面側にかけて印刷を施さない空白領域としたもので、センサ走査部５の光透過率は用紙１の地色の光透過率と等しくなっている。すなわち、重送チェックセンサの光源から近赤外線を照射してセンサ走査部５の光透過率を測定することで用紙１の重なりの有無を検出し、ＯＣＲに光学読取り用帳票Ｐが複数枚重なって搬送されることのないようにチェックされる。
【００２２】
一方、図１（ｂ）に示す用紙１の裏面側には、その空きスペースを利用してユーザから要求されたコマーシャル印刷等の裏面印刷が施されている。この裏面印刷部６は、本実施形態では上述した通常の黒色プロセスインキではなく、色材として染料を使用したインキ（以下、Ａインキという）を用いて印刷される。
【００２３】
また、裏面印刷部６のインキとしては、Ａインキに替えて、有機系顔料を使用したイエロー（黄色），マゼンタ（紅色），およびシアン（藍色）の３色を混合した混合黒色インキ（以下、Ｂインキという）や、あるいは有機系顔料を使用したイエロー（黄色），マゼンタ（紅色），および色材として染料を使用したシアン（藍色）の３色を混合した混合黒色インキ（以下、Ｃインキという）を用いることも可能である。
【００２４】
更に、ＡインキやＣインキを使用する場合には、その染料が鮮青のファナール系染料であるのが望ましい。
【００２５】
裏面印刷にＡインキ、Ｂインキ、Ｃインキのいずれか一つを用いるという選択は、これらのインキの近赤外線領域における光透過率が通常の黒色プロセスインキのそれよりも高く、かつ用紙１を２枚重ねた光透過率よりも高いことが本発明者等によって確認されたことに基づくものである。裏面印刷部６にＡインキ、またはＢインキ、あるいはＣインキを使用すると、用紙１の表面側に形成された光学読取り部４やセンサ走査部５への干渉を通常の黒色プロセスインキを使用した場合に比して大幅に低減することができる。その理由は、これらのインキには光透過率を大きく低下させる要因である濃度の高いカーボンブラック（墨色）が顔料に含まれていないためであると考えられる。
【００２６】
すなわち、ＯＣＲでの自動読取り時において、裏面印刷部６のＡインキ、またはＢインキ、あるいはＣインキが用紙１の表面側に透過して光学読取り部４のＯＣＲ文字４−１やバーコード４−２に重なっていても、これらのインキの光透過率は光学読取り部４の光透過率よりも極めて高く、ＯＣＲの読取りスペックから外れるため、ＯＣＲによる光学読取り部４の読取りには何等影響を与えることがない。
【００２７】
また、重送チェックセンサでの重送チェック時においても同様に、裏面印刷部６のＡインキ、またはＢインキ、あるいはＣインキが用紙１の表面側に透過してセンサ走査部５に重なっていても、これらのインキの光透過率は用紙が２枚重なったときのセンサ走査部５の光透過率よりも高いことから、重送チェックセンサによってセンサ走査部５が複数枚重なっていると誤って感知されることもない。
【００２８】
したがって、図１や図２に示すように、用紙１の裏面側に施す裏面印刷部６を、用紙１の表面側に形成した光学読取り部４や、用紙１の表面側から裏面側にかけて形成したセンサ走査部５に重ならないように配慮する必要がないために、印刷スペースを裏面全体に亘って充分に確保できる。このように、本実施形態の光学読取り用帳票Ｐによれば、用紙１の裏面印刷はデザインや刷色の制約を受けることがなく、その印刷濃度を抑える必要もないため、従来に比して印刷自由度が大幅に向上するという利点がある。
【００２９】
次に、本発明の作用効果について具体的な実施例に基づいて説明する。図３は下記の表１に列挙した７つの試料（試料１〜試料７）の分光特性を比較したグラフ図である。
【００３０】
【表１】
2004322331.tif 000003
【００３１】
尚、同図中の横軸は照射した光の波長（ｎｍ）を、縦軸は光透過率（％）を示しており、（イ）は試料１、（ロ）は試料２、（ハ）は試料３、（ニ）は試料４、（ホ）は試料５、（ヘ）は試料６、（ト）は試料７のそれぞれの分光曲線を表わしている。
【００３２】
図３に示した測定結果から明らかなように、試料１と試料２はともに近赤外線領域内で測定した全波長領域（６００ｎｍ〜９００ｎｍ）においてほぼ一定の光透過率であり、特に重送チェックセンサの照射光が持つ波長７４０ｎｍ付近では、試料１の光透過率が約２５％、試料２の光透過率が約１３％であった。
【００３３】
ここで、試料５の分光曲線を見ると、試料５の光透過率は上述の全波長領域において試料２の光透過率よりも常に低い値が測定された。また、波長７４０ｎｍ付近における試料５の光透過率は約９％であり、用紙１枚に通常の黒色プロセスインキを塗布すると用紙を２枚重ねたときよりも光透過率が低くなってしまうことが分かる。
【００３４】
この結果から、用紙に通常の黒色プロセスインキを使用して印刷すると、同インキがセンサ走査部に重なった場合には、用紙が１枚であるのにも関わらず、用紙が２枚以上重なった光透過率であると誤って感知される可能性があることが判明した。
【００３５】
次に、試料６と試料７の分光曲線を見ると、波長７４０ｎｍ付近では、試料６の光透過率は約２１％、試料７の光透過率は約９．５％であった。また、有機系顔料を使用したシアン（藍色）の波長７４０ｎｍ付近における光透過率（約９．５％）は、通常の黒色プロセスインキの同波長付近における光透過率（約９％）とほぼ等しい光透過率であり、用紙２枚を重ねた光透過率よりも低くなることが分かった。一方、有機系顔料を使用したシアン（藍色）に替えて、色材として鮮青のファナール系染料を使用したシアン（藍色）にすると、波長７４０ｎｍ付近の光透過率は約２１％になって用紙２枚を重ねた光透過率よりも高くなり、用紙１枚の光透過率に近くなることが分かった。
【００３６】
この結果から、裏面印刷部のインキは、有機系顔料を使用したインキではなく、色材として染料を使用したインキが望ましいことが判明した。
【００３７】
次に、試料３の分光曲線を見ると、波長６００ｎｍ〜６６０ｎｍの領域内では試料３の光透過率は試料５の光透過率よりも若干低くなっているが、波長６６０ｎｍを超えた領域では、試料３の光透過率は試料５の光透過率よりも常に高くなり、試料１の光透過率に限りなく近づいていくことが分かる。また、波長７４０ｎｍ付近における試料３の光透過率は約２２％であり、同波長における試料２の光透過率（約１３％）よりも高く、同波長における試料１の光透過率（約２５％）に近い値が測定された。
【００３８】
この結果から、用紙に上述したファナール系インキを使用して印刷すれば、仮に同インキが光学読取り部やセンサ走査部に重なった場合でも、光学読取りコードの誤読や用紙が２枚以上重なった光透過率であると誤って感知される可能性はないことが判明した。
【００３９】
尚、試料３と試料６との比較から、色材が鮮青のファナール系染料であるシアン（藍色）に有機系顔料のイエロー（黄色）とマゼンタ（紅色）を混ぜたにも関わらず、光透過率が若干高くなることが分かる。その理由は、近赤外線領域において、シアン（藍色）は３色の中で最も光透過率を下げる作用が強く、試料３のように３色混合にすると、光透過率を下げる作用が強いシアン（藍色）のインキ全体に占める割合が減少するためであると考えられる。
【００４０】
更に、試料４の分光曲線を見ると、試料４の光透過率は上述の全波長領域において試料２の光透過率よりも常に高い値が測定された。また、波長７４０ｎｍ付近における試料４の光透過率は約１６％であり、同波長における試料２の光透過率（約１３％）よりも高い値が測定された。
【００４１】
この結果から、用紙に上述の有機系顔料を使用したイエロー（黄色），マゼンタ（紅色），およびシアン（藍色）の３色を混合した混合黒色インキを使用して印刷した場合には、少なくとも用紙が２枚以上重なった光透過率であると誤って感知される可能性はないことが判明した。
【００４２】
尚、試料３と試料４とを比較すると、波長６８０ｎｍ未満の領域では試料４の方が試料３よりも光透過率が高いが、波長６８０ｎｍ以上の領域では逆に試料３の方が試料４よりも光透過率が高い。特に波長７４０ｎｍ付近では、試料３の光透過率が約２２％、試料４の光透過率が約１６％であり、試料３の方が高い値が測定された。
【００４３】
この結果から、光学読取り部とセンサ走査部の双方を考慮した場合には、裏面印刷部のインキは試料４よりも試料３、つまり有機系顔料のイエロー（黄色），マゼンタ（紅色），およびシアン（藍色）の３色を混合した混合黒色インキよりも、有機系顔料のイエロー（黄色），マゼンタ（紅色），および色材に鮮青のファナール系染料を使用したシアン（藍色）の３色を混合した混合黒色インキの方がより好適であることが判明した。
【００４４】
【発明の効果】
以上詳細に説明したように、本発明に係る光学読取り用帳票によれば、以下のような効果を奏する。
【００４５】
ＯＣＲでの自動読取り時において、用紙の裏面印刷部が用紙の表面側の光学読取り部に重なっていても、裏面印刷部のインキの光透過率は光学読取り部の光透過率よりも極めて高く、ＯＣＲの読取りスペックから外れるため、ＯＣＲによる光学読取り部の読取りには何等影響を与えることがない。
【００４６】
重送チェックセンサでの重送チェック時において、用紙の裏面印刷部がセンサ走査部に重なっていても、裏面印刷部のインキの光透過率は用紙が２枚重なったときのセンサ走査部の光透過率よりも高いことから、重送チェックセンサによってセンサ走査部が複数枚重なっていると誤って感知されることもない。
【００４７】
このように、用紙の裏面印刷部が、光学読取り部やセンサ走査部に重ならないように配慮する必要がないために印刷スペースを裏面全体に亘って充分に確保できるとともに、デザインや刷色の制約を受けることがなく、印刷濃度を抑える必要もないために従来に比して印刷自由度を大幅に向上させることができる。
【図面の簡単な説明】
【図１】本発明に係る光学読取り用帳票の構成を示す（ａ）表面側、（ｂ）裏面側の状態を示す平面図。
【図２】図１に示すＩＩ−ＩＩ線断面図。
【図３】５つの試料の分光特性を比較したグラフ図。
【符号の説明】
Ｐ  光学読取り用帳票
１  用紙
２，２−１，２−２  記入枠
３  サーマル層
４  光学読取り部
４−１  ＯＣＲ文字
４−２  バーコード
５  センサ走査部
６  裏面印刷部
【図１】
2004322331.tif 000004
【図２】
2004322331.tif 000005
【図３】
2004322331.tif 000006